(57)【要約】  エーテルカルボン酸またはその塩と高曇点を有する非イオン界面活性剤とを含む、自動食器洗浄用洗剤組成物。本発明は、自動食器洗浄用洗剤組成物であって、ａ）式（Ｉ）の１つまたは複数の化合物2015500363.tif 000014（式中、Ｒは、８から３０個の炭素原子を含む直鎖もしくは分岐鎖の飽和アルキル基であるか、または、１つもしくは複数の二重結合を有し、８から３０個の炭素原子を含む直鎖もしくは分岐鎖の不飽和アルケニル基であり、ｎは１から２０までの数であり、Ｍは対イオンである）、およびｂ）３０℃以上の曇点を有する１つまたは複数の非イオン界面活性剤、およびｃ）１つまたは複数のビルダー物質を含む、自動食器洗浄用洗剤組成物に関する。本発明の自動食器洗浄用洗剤組成物は、特に、有利な斑点形成防止挙動を保有する。
2015500363.tif 000002
【特許請求の範囲】
【請求項１】
ａ）式（Ｉ）の１種または複数種の化合物
【化１】
2015500363.tif 000012
（式中、
Ｒは、８〜３０個の炭素原子を含む直鎖もしくは分岐鎖の飽和アルキル基であるか、または、１つもしくは複数の二重結合を有し、８〜３０個の炭素原子を含む直鎖もしくは分岐鎖の不飽和アルケニル基であり、
ｎは１〜２０の数であり、そして
Ｍは対イオンである）、および
ｂ）３０℃以上の曇点を有する、好ましくは４０℃以上の曇点を有する、１種または複数種の非イオン界面活性剤、および
ｃ）１種または複数種のビルダー物質、
を含む、自動食器洗浄機用洗浄剤組成物。
【請求項２】
式（Ｉ）の１種または複数種の化合物における対イオンＭが、Ｈ＋、Ｎａ＋、Ｋ＋、Ｍｇ２＋／２、Ｃａ２＋／２、ＮＨ４＋、モノエタノールアンモニウム、ジエタノールアンモニウムおよびトリエタノールアンモニウムからなる群から選択されることを特徴とする、請求項１に記載の自動食器洗浄機用洗浄剤組成物。
【請求項３】
式（Ｉ）の１種または複数種の化合物における対イオンＭが、Ｈ＋、Ｎａ＋およびＫ＋からなる群から選択されることを特徴とする、請求項２に記載の自動食器洗浄機用洗浄剤組成物。
【請求項４】
式（Ｉ）の１種または複数種の化合物におけるＲが、１２〜１８個の炭素原子を含む直鎖もしくは分岐鎖の飽和アルキル基であるか、または、１つもしくは複数の二重結合を有し、１２〜１８個の炭素原子を含む直鎖もしくは分岐鎖の不飽和アルケニル基であることを特徴とする、請求項１〜３のいずれか一つに記載の自動食器洗浄機用洗浄剤組成物。
【請求項５】
式（Ｉ）の１種または複数種の化合物におけるＲが、１６〜１８個の炭素原子を含む直鎖もしくは分岐鎖の飽和アルキル基であるか、または、１つもしくは複数の二重結合を有し、１６〜１８個の炭素原子を含む直鎖もしくは分岐鎖の不飽和アルケニル基であることを特徴とする、請求項４に記載の自動食器洗浄機用洗浄剤組成物。
【請求項６】
式（Ｉ）の１種または複数種の化合物において、Ｒ基の５０ｗｔ％以上が、１つまたは複数の二重結合を有する直鎖または分岐鎖の不飽和アルケニル基であることを特徴とする、請求項１〜５のいずれか一つに記載の自動食器洗浄機用洗浄剤組成物。
【請求項７】
式（Ｉ）の１種または複数種の化合物におけるＲが直鎖基であることを特徴とする、請求項１〜６のいずれか一つに記載の自動食器洗浄機用洗浄剤組成物。
【請求項８】
式（Ｉ）の１種または複数種の化合物におけるＲがオレイルセチル基であることを特徴とする、請求項１〜７のいずれか一つに記載の自動食器洗浄機用洗浄剤組成物。
【請求項９】
式（Ｉ）の１種または複数種の化合物におけるｎが１〜３の数であることを特徴とする、請求項１〜８のいずれか一つに記載の自動食器洗浄機用洗浄剤組成物。
【請求項１０】
式（Ｉ）の１種または複数種の化合物におけるｎが２であることを特徴とする、請求項９に記載の自動食器洗浄機用洗浄剤組成物。
【請求項１１】
式（Ｉ）の１種または複数種の化合物を、いずれの場合においても自動食器洗浄機用洗浄剤組成物の全重量を基準として、０．１〜１５ｗｔ％の量で、好ましくは０．２〜１０ｗｔ％の量で、より好ましくは０．２〜５ｗｔ％の量で含むことを特徴とする、請求項１〜１０のいずれか一つに記載の自動食器洗浄機用洗浄剤組成物。
【請求項１２】
構成成分ｂ）の１種または複数種の非イオン界面活性剤が、式（ＩＩ）
【化２】
2015500363.tif 000013
（式中、
Ｒ１は、８〜３０個の炭素原子を含む直鎖もしくは分岐鎖の飽和アルキル基であるか、または、１つもしくは複数の二重結合を有し、８〜３０個の炭素原子を含む直鎖もしくは分岐鎖の不飽和アルケニル基であり、
Ａは、−Ｃ２Ｈ４−および−Ｃ３Ｈ６−からなる群から選択され、
ｘは、１〜１５０の数であり、
Ｚは、Ｈ、１〜３０個の炭素原子を有する直鎖もしくは分岐鎖のアルキル基、または−ＣＨ（ＯＨ）−Ｒ３基であり、そして
Ｒ３は、１〜３０個の炭素原子を有する直鎖もしくは分岐鎖のアルキル基であり、
ここで、−（−ＡＯ−）ｘ−基は、１つまたは複数の−Ｃ２Ｈ４Ｏ−基を含み、そして１つまたは複数の−Ｃ３Ｈ６Ｏ−基を追加的に含んでもよく、そして−（−ＡＯ−）ｘ−基が−Ｃ２Ｈ４Ｏ−基と−Ｃ３Ｈ６Ｏ−基とを同時に含む場合、−Ｃ２Ｈ４Ｏ−基および−Ｃ３Ｈ６Ｏ−基は−（−ＡＯ−）ｘ−基内にいかなる様式で分布していてもよく、好ましくは統計的、勾配状またはブロック状の様式で、特に好ましくはブロック状の様式で分布していてもよく、そして−（−ＡＯ−）ｘ−基中の−Ｃ２Ｈ４Ｏ−基のモル量は、好ましくは−Ｃ３Ｈ６Ｏ−基のモル量より多い）
の化合物から選択されることを特徴とする、請求項１〜１１のいずれか一つに記載の自動食器洗浄機用洗浄剤組成物。
【請求項１３】
構成成分ｂ）の１種または複数種の非イオン界面活性剤が、平均して８個の−Ｃ２Ｈ４Ｏ−基と４個の−Ｃ３Ｈ６Ｏ−基とを含み、Ｒ１が、１２〜１５個の炭素原子を含む直鎖もしくは分岐鎖の飽和アルキル基であるか、または、１つもしくは複数の二重結合を有し、１２〜１５個の炭素原子を含む直鎖もしくは分岐鎖の不飽和アルケニル基であり、ＺがＨであることを特徴とする、請求項１２に記載の自動食器洗浄機用洗浄剤組成物。
【請求項１４】
構成成分ｂ）の１種または複数種の非イオン界面活性剤を、いずれの場合においても自動食器洗浄機用洗浄剤組成物の全重量を基準として、０．１〜１５ｗｔ％の量で、好ましくは０．２〜１０ｗｔ％の量で、より好ましくは０．２〜５ｗｔ％の量で含むことを特徴とする、請求項１〜１３のいずれか一つに記載の自動食器洗浄機用洗浄剤組成物。
【請求項１５】
３０℃未満の曇点を有する非イオン界面活性剤を含まないことを特徴とする、請求項１〜１４のいずれか一つに記載の自動食器洗浄機用洗浄剤組成物。
【請求項１６】
１種または複数種のビルダー物質を、いずれの場合においても自動食器洗浄機用洗浄剤組成物の全重量を基準として、５〜９０ｗｔ％の量で、好ましくは５〜８０ｗｔ％の量で含むことを特徴とする、請求項１〜１５のいずれか一つに記載の自動食器洗浄機用洗浄剤組成物。
【請求項１７】
漂白系を含むことを特徴とする、請求項１〜１６のいずれか一つに記載の自動食器洗浄機用洗浄剤組成物。
【請求項１８】
漂白系を、いずれの場合においても自動食器洗浄機用洗浄剤組成物の全重量を基準として、０．１〜４０ｗｔ％の量で、好ましくは０．５〜３０ｗｔ％の量で、より好ましくは３〜２５ｗｔ％の量で含むことを特徴とする、請求項１７に記載の自動食器洗浄機用洗浄剤組成物。
【請求項１９】
酵素、ガラス腐食防止剤、水、有機溶媒、増粘剤、さらなる界面活性剤、泡抑制剤、カラースペックル（ｃｏｌｏｒ  ｓｐｅｃｋｌｅ）、銀保護剤（ｓｉｌｖｅｒ  ｃａｒｅ）、曇り防止剤（ａｎｔｉ−ｔａｒｎｉｓｈ）および／または腐食防止剤、染料、フィラー、殺菌剤、ヒドロトロープ、抗酸化剤、酵素安定化剤、香料、可溶化剤、担体、加工助剤、顔料ならびにｐＨ調整剤からなる群から選択される１種または複数種の化合物を含むことを特徴とする、請求項１〜１８のいずれか一つに記載の自動食器洗浄機用洗浄剤組成物。
【請求項２０】
式（Ｉ）の１種または複数種の化合物および構成成分ｂ）の１種または複数種の非イオン界面活性剤に加えて、他の界面活性剤を含まないことを特徴とする、請求項１〜１９のいずれか一つに記載の自動食器洗浄機用洗浄剤組成物。
【請求項２１】
汚れた食器を、自動食器洗浄機中で、請求項１〜２０のいずれか一つに記載の自動食器洗浄機用洗浄剤組成物を含む水性アルカリ組成物で処理することを含む、自動食器洗浄機中で食器を洗浄する方法。
【請求項２２】
水性アルカリ組成物のｐＨ値が、８以上、好ましくは９以上であることを特徴とする、請求項２１に記載の方法。
【発明の詳細な説明】
【技術分野】
【０００１】
本発明は、３０℃以上の、好ましくは４０℃以上の高曇点を有する非イオン界面活性剤と、特定のエーテルカルボン酸またはエーテルカルボン酸塩とを含む、自動食器洗浄機用洗浄剤組成物の分野におけるものである。
【背景技術】
【０００２】
自動食器洗浄、とりわけ家庭用食器洗浄は、形式が、タブレット、パウチおよびさらには投入ユニットのようなオールインワン投入システムの方向に移行するにつれて、絶えず変化および進歩を遂げてきており、全洗浄サイクルを通して存在しながら、斑点形成（ｓｐｏｔｔｉｎｇ）および被膜形成（ｆｉｌｍｉｎｇ）に対する乾燥仕上剤（ｒｉｎｓｅ  ａｉｄ）として有効である新規な界面活性剤系が要求されている。加えて、より低い温度およびより少ない水での洗浄、トリポリリン酸ナトリウム（ＳＴＰＰ）のようなリン酸塩の低減またはさらには禁止、ならびに石油系化学物質の代わりに再生可能資源からの原材料を使用することへの要求などの環境面での傾向により、配合者は界面活性剤系の選択において難題が突きつけられている。その一方で、所望の通りに安定した泡が見られるような他の清浄用組成物、例えば手洗い食器洗浄用液体などに典型的に使用される大抵の一般的な界面活性剤系とは相容れない、極めて低泡性の組成物が特異的に要求されることによって、適切な界面活性剤を選択する自由が制限されている。
【発明の概要】
【発明が解決しようとする課題】
【０００３】
好都合な清浄性能の他に、特に、好都合な斑点形成防止挙動（ａｎｔｉ−ｓｐｏｔｔｉｎｇ  ｂｅｈａｖｉｏｒ）も示す、自動食器洗浄機用洗浄剤組成物を提供することが本発明の目的であった。
【課題を解決するための手段】
【０００４】
驚くべきことに、この目的は、自動食器洗浄機用洗浄剤組成物であって、
ａ）式（Ｉ）の１種または複数種の化合物
【０００５】
【化１】
2015500363.tif 000003
（式中、
Ｒは、８〜３０個の炭素原子を含む直鎖もしくは分岐鎖の飽和アルキル基であるか、または、１つもしくは複数の二重結合を有し、８〜３０個の炭素原子を含む直鎖もしくは分岐鎖の不飽和アルケニル基であり、
ｎは１〜２０の数であり、
Ｍは対イオンである）、および
ｂ）３０℃以上の曇点を有する、好ましくは４０℃以上の曇点を有する、１種または複数種の非イオン界面活性剤、および
ｃ）１種または複数種のビルダー物質
を含む自動食器洗浄機用洗浄剤組成物で実現されることが、今般見出された。
【０００６】
したがって、本発明は、
ａ）式（Ｉ）の１種または複数種の化合物
【０００７】
【化２】
2015500363.tif 000004
（式中、
Ｒは、８〜３０個の炭素原子を含む直鎖もしくは分岐鎖の飽和アルキル基であるか、または、１つもしくは複数の二重結合を有し、８〜３０個の炭素原子を含む直鎖もしくは分岐鎖の不飽和アルケニル基であり、
ｎは１〜２０の数であり、
Ｍは対イオンである）、および
ｂ）３０℃以上の曇点を有する、好ましくは４０℃以上の曇点を有する、１種または複数種の非イオン界面活性剤、および
ｃ）１種または複数種のビルダー物質
を含む、自動食器洗浄機用洗浄剤組成物を提供する。
【０００８】
式（Ｉ）の１種または複数種の界面活性剤と構成成分ｂ）の１種または複数種の非イオン界面活性剤とが存在するので、本発明の自動食器洗浄機用洗浄剤組成物は、好都合な斑点形成防止挙動を示し、好都合な清浄性能を保有する。式（Ｉ）の界面活性剤および構成成分ｂ）の１種または複数種の非イオン界面活性剤は、目立った起泡性を与えず、その限りにおいて本発明の組成物はさらに低泡性である。特に、式（Ｉ）の界面活性剤は生分解性であり、（そのアルコール構成成分ＲＯに帰因して）再生可能な一次生成物をベースとしており、その限りにおいて本発明の自動食器洗浄機用洗浄剤組成物は環境にも優しい。同じことが、本発明の自動食器洗浄機用洗浄剤組成物の構成成分ｂ）の好ましい非イオン界面活性剤、例えば式（ＩＩ）の化合物などにも当てはまる。
【０００９】
本発明の自動食器洗浄機用洗浄剤組成物は、無リン組成物においても、それに含有される式（Ｉ）の１種または複数種の界面活性剤および構成成分ｂ）の１種または複数種の非イオン界面活性剤が、その有利な性質を示し、特に、好都合な斑点形成防止挙動をもたらすという利点をさらに有する。式（Ｉ）の１種または複数種の界面活性剤と構成成分ｂ）の１種または複数種の非イオン界面活性剤とを組み合わせると、一般的な低泡性非イオン界面活性剤と比較して、斑点形成防止挙動が向上することが多い。
【００１０】
ＵＳ４，２７２，３９４は、低泡性非イオン界面活性剤のブレンドを含有する自動食器洗浄用洗剤を開示しており、ここでは、第２の界面活性剤が比較的低い曇点を有している。
【００１１】
ＷＯ９４／２２８００は、低曇点のエポキシキャップ化ポリ（オキシアルキル化）アルコール、およびそれを含有する自動食器洗浄用組成物を記載している。
【００１２】
ＵＳ６，５９３，２８７は、アルキルキャップ化非イオン界面活性剤、およびそれを含有する自動食器洗浄機組成物を開示している。
【００１３】
ＥＰ１７５７６７６は、エーテルカルボン酸塩（すなわち特定の鎖長およびＥＯ（エチレンオキシ−ＣＨ２ＣＨ２Ｏ−）レベルを有するアルキルエトキシカルボン酸塩、アルキルエトキシ硫酸塩）、スルホベタイン、アルキルポリエトキシ硫酸塩、アルキルポリエトキシカルボン酸塩およびアルキル硫酸塩、ならびにスルホン酸塩を含む、荷電界面活性剤の使用を記載している。しかし、起泡性の問題を防止するために、低泡性で非イオン性の、特に、水中で３０℃未満の曇点を有する低曇点の界面活性剤が組成物中に存在することが必須である。
【００１４】
式（Ｉ）の１種または複数種の化合物において、対イオンＭは、好ましくは、Ｈ＋、Ｎａ＋、Ｋ＋、Ｍｇ２＋／２、Ｃａ２＋／２、ＮＨ４＋、モノエタノールアンモニウム、ジエタノールアンモニウムおよびトリエタノールアンモニウムからなる群から選択される。
【００１５】
特に好ましくは、式（Ｉ）の１種または複数種の化合物において、対イオンＭは、Ｈ＋、Ｎａ＋およびＫ＋からなる群から選択される。
【００１６】
式（Ｉ）の化合物のアルキルおよびアルケニル基Ｒの例は、例えば、次のアルコールＲ−ＯＨのアルキルおよびアルケニル基である：１−オクタノール（カプリルアルコール）、２−エチルヘキサノール、１−ノナノール（ペラルゴンアルコール）、１−デカノール（カプリンアルコール）、１−ウンデカノール、１−ドデカノール（ラウリルアルコール）、１−トリデカノール、イソトリデカノール、１−テトラデカノール（ミリスチルアルコール）、１−ペンタデカノール、１−ヘキサデカノール（セチルアルコール）、ｃｉｓ−９−ヘキサデセン−１−オール（パルミトレイルアルコール）、１−ヘプタデカノール、１−オクタデカノール（ステアリルアルコール）、セテアリルアルコール、１６−メチルヘプタデカン−１−オール（イソステアリルアルコール）、９Ｅ−オクタデセン−１−オール（エライジルアルコール）、ｃｉｓ−９−オクタデセン−１−オール（オレイルアルコール）、オレイルセチルアルコール、９Ｚ，１２Ｚ−オクタデカジエン−１−オール（リノレイルアルコール）、９Ｅ，１２Ｅ−オクタデカジエン−１−オール（エライドリノレイルアルコール）、９Ｚ，１２Ｚ，１５Ｚ−オクタデカトリエン−１−オール（リノレニルアルコール）、９Ｅ，１２Ｅ，１５Ｅ−オクタデカトリエン−１−オール（エライドリノレニルアルコール）、１−ノナデカノール、１−エイコサノール（アラキジルアルコール）、１−ヘンエイコサノール、１−ドコサノール（ベヘニルアルコール）、ｃｉｓ−１３−ドコセン−１−オール（エルシルアルコール）、１−テトラコサノール（リグノセリルアルコール）、１−ヘキサコサノール（セリルアルコール）、１−オクタコサノール（モンタニルアルコール）および１−トリアコンタノール（ミリシルアルコール）または上記の混合物。
【００１７】
式（Ｉ）の化合物のＲ基は、異なる残基Ｒの混合物を通常含む、天然に存在するアルコールＲ−ＯＨから誘導されてもよい。
【００１８】
式（Ｉ）の化合物のＲ基はまた、オキソアルコール、例えばオキソアルコールＣ１２〜１５などの、合成により調製されたアルコールＲ−ＯＨから誘導されてもよい。
【００１９】
式（Ｉ）の１種または複数種の化合物において、Ｒは、好ましくは、１２〜１８個の炭素原子を含む直鎖もしくは分岐鎖の飽和アルキル基であるか、または、１つもしくは複数の二重結合を有し、１２〜１８個の炭素原子を含む直鎖もしくは分岐鎖の不飽和アルケニル基である。
【００２０】
特に好ましくは、式（Ｉ）の１種または複数種の化合物において、Ｒは、１６〜１８個の炭素原子を含む直鎖もしくは分岐鎖の飽和アルキル基であるか、または、１つもしくは複数の二重結合を有し、１６〜１８個の炭素原子を含む直鎖もしくは分岐鎖の不飽和アルケニル基である。
【００２１】
好ましくは、式（Ｉ）の１種または複数種の化合物において、Ｒ基の５０ｗｔ％以上が、１つまたは複数の二重結合を有する直鎖または分岐鎖の不飽和アルケニル基である。
【００２２】
特に好ましくは、式（Ｉ）の１種または複数種の化合物において、Ｒは直鎖基である。
【００２３】
さらに好ましくは、式（Ｉ）の１種または複数種の化合物において、Ｒはオレイルセチル基である。
【００２４】
式（Ｉ）の１種または複数種の化合物において、ｎは、好ましくは１〜３の数である。
【００２５】
特に好ましくは、式（Ｉ）の１種または複数種の化合物において、ｎは２である。
【００２６】
本発明の自動食器洗浄機用洗浄剤組成物は、式（Ｉ）の１種または複数種の化合物を、いずれの場合においても自動食器洗浄機用洗浄剤組成物の全重量を基準として、好ましくは０．１〜１５ｗｔ％の量で、より好ましくは０．２〜１０ｗｔ％の量で、特に好ましくは０．２〜５ｗｔ％の量で含む。
【００２７】
本発明の自動食器洗浄機用洗浄剤組成物の構成成分ｂ）の非イオン界面活性剤としてどの化合物を使用することができるかは、かかる化合物は例えば市販されておりそれらの曇点が公知なので、当業者であればわかる。
【００２８】
本発明の自動食器洗浄機用洗浄剤組成物の構成成分ｂ）の非イオン界面活性剤の曇点は、ＤＩＮ  ＥＮ  １８９０に従って決定することもできる。
【００２９】
本発明の自動食器洗浄機用洗浄剤組成物の構成成分ｂ）の１種または複数種の非イオン界面活性剤は、好ましくは、式（ＩＩ）
【００３０】
【化３】
2015500363.tif 000005
（式中、
Ｒ１は、８〜３０個の炭素原子を含む直鎖もしくは分岐鎖の飽和アルキル基であるか、または、１つもしくは複数の二重結合を有し、８〜３０個の炭素原子を含む直鎖もしくは分岐鎖の不飽和アルケニル基であり、
Ａは、−Ｃ２Ｈ４−および−Ｃ３Ｈ６−からなる群から選択され、
ｘは、１〜１５０の数であり、
Ｚは、Ｈ、１〜３０個の炭素原子を有する直鎖もしくは分岐鎖のアルキル基、または−ＣＨ（ＯＨ）−Ｒ３基であり、
Ｒ３は、１〜３０個の炭素原子を有する直鎖もしくは分岐鎖のアルキル基であり、
ここで、−（−ＡＯ−）ｘ−基は、１つまたは複数の−Ｃ２Ｈ４Ｏ−基を含み、１つまたは複数の−Ｃ３Ｈ６Ｏ−基を追加的に含んでもよく、−（−ＡＯ−）ｘ−基が−Ｃ２Ｈ４Ｏ−基と−Ｃ３Ｈ６Ｏ−基とを同時に含む場合、−Ｃ２Ｈ４Ｏ−基および−Ｃ３Ｈ６Ｏ−基は−（−ＡＯ−）ｘ−基にいかなる様式で分散されていてもよく、好ましくは統計的、勾配状またはブロック状の様式で、特に好ましくはブロック状の様式で分散されていてもよく、−（−ＡＯ−）ｘ−基中の−Ｃ２Ｈ４Ｏ−基のモル量は、好ましくは−Ｃ３Ｈ６Ｏ−基のモル量より多い）
の化合物から選択される。
【００３１】
式（ＩＩ）の化合物が本発明の自動食器洗浄機用洗浄剤組成物の構成成分ｂ）で述べた通りの曇点を有していない場合、それらは本発明の自動食器洗浄機用洗浄剤組成物の構成成分ｂ）による非イオン界面活性剤ではない。
【００３２】
式（ＩＩ）の化合物のアルキルおよびアルケニル基Ｒ１の例として、上で示した式（Ｉ）の化合物のアルキルおよびアルケニル基Ｒの例を挙げることができる。
【００３３】
式（ＩＩ）におけるＲ１は、好ましくは、８〜２２個の炭素原子を含む直鎖もしくは分岐鎖の飽和アルキル基であるか、または、１つもしくは複数の二重結合を有し、８〜２２個の炭素原子を含む直鎖もしくは分岐鎖の不飽和アルケニル基であり、より好ましくは、８〜１８個の炭素原子を含む直鎖もしくは分岐鎖の飽和アルキル基であるか、または、１つもしくは複数の二重結合を有し、８〜１８個の炭素原子を含む直鎖もしくは分岐鎖の不飽和アルケニル基であり、特に好ましくは、１２〜１５個の炭素原子を含む直鎖もしくは分岐鎖の飽和アルキル基であるか、または、１つもしくは複数の二重結合を有し、１２〜１５個の炭素原子を含む直鎖もしくは分岐鎖の不飽和アルケニル基である。
【００３４】
好ましくは、式（ＩＩ）におけるＲ１基はアルキル基である。
【００３５】
式（ＩＩ）におけるｘは、好ましくは１〜５０の数であり、より好ましくは１〜２０の数であり、特に好ましくは５〜２０の数である。
【００３６】
式（ＩＩ）の化合物のアルキル基ＺおよびＲ３の例として、上で示した式（Ｉ）の化合物のアルキル基Ｒの例を挙げることができる。さらなる例は、アルキル基である、メチル、エチル、ｎ−プロピル、イソプロピル、ｎ−ブチル、ｓｅｃ−ブチル、イソブチル、ｔｅｒｔ−ブチル、ｎ−ペンチル、ｓｅｃ−ペンチル（２−ペンチル）、３−ペンチル、２−メチルブチル、イソペンチル（３−メチルブチル）、３−メチルブタ−２−イル、２−メチルブタ−２−イル、ネオペンチル（２，２−ジメチルプロピル）、１−ヘキシル、２−ヘキシル、３−ヘキシル、２−メチル−１−ペンチル、３−メチル−１−ペンチル、４−メチル−１−ペンチル、２−メチル−２−ペンチル、３−メチル−２−ペンチル、４−メチル−２−ペンチル、２−メチル−３−ペンチル、３−メチル−３−ペンチル、２，２−ジメチル−１−ブチル、２，３−ジメチル−１−ブチル、２，３−ジメチル−１−ブチル、３，３−ジメチル−１−ブチル、２，３−ジメチル−２−ブチル、３，３−ジメチル−２−ブチル、２−エチル−１−ブチル、１−ヘプチル、２−ヘプチル、３−ヘプチルおよび４−ヘプチルである。
【００３７】
式（ＩＩ）におけるＺが直鎖または分岐鎖のアルキル基である場合、それは、好ましくは１〜２２個の炭素原子を有するアルキル基である。
【００３８】
式（ＩＩ）におけるＲ３は、好ましくは８〜２２個の炭素原子を有する直鎖または分岐鎖のアルキル基である。
【００３９】
本発明の好ましい実施形態では、−（−ＡＯ−）ｘ−基は１つまたは複数の−Ｃ２Ｈ４Ｏ−基で構成され、−Ｃ３Ｈ６Ｏ−基を含まない。
【００４０】
本発明のさらに好ましい実施形態では、−（−ＡＯ−）ｘ−基は１つまたは複数の−Ｃ２Ｈ４Ｏ−基と１つまたは複数の−Ｃ３Ｈ６Ｏ−基とを含む。本発明のこの好ましい実施形態では、−Ｃ２Ｈ４Ｏ−基と−Ｃ３Ｈ６Ｏ−基との全量を基準としたＣ３Ｈ６Ｏ−基のモル量は、好ましくは５０％未満、より好ましくは４５％、または４５％未満、特に好ましくは４０％、または４０％未満、とりわけ好ましくは３３％、または３３％未満である。
【００４１】
本発明のさらに好ましい実施形態では、式（ＩＩ）におけるＺはＨである。本発明のこの好ましい実施形態では、−Ｃ２Ｈ４Ｏ−基と−Ｃ３Ｈ６Ｏ−基との全量を基準としたＣ３Ｈ６Ｏ−基のモル量は、好ましくは２０〜５０％未満であり、より好ましくは３３〜４５％、特に好ましくは３３〜４０％である。
【００４２】
ＺがＨとは異なる意味を有する場合、−Ｃ２Ｈ４Ｏ−基と−Ｃ３Ｈ６Ｏ−基との全量を基準としたＣ３Ｈ６Ｏ−基のモル量は、好ましくは２０％、または２０％未満であり、より好ましくは１０％、または１０％未満である。
【００４３】
本発明のさらに好ましい実施形態では、式（ＩＩ）におけるＺは、１〜４個の炭素原子を有するアルキル基である。本発明のこの好ましい実施形態では、−Ｃ２Ｈ４Ｏ−基と−Ｃ３Ｈ６Ｏ−基との全量を基準としたＣ３Ｈ６Ｏ−基のモル量は、好ましくは２０％、または２０％未満であり、より好ましくは１０％、または１０％未満である。
【００４４】
本発明のさらに好ましい実施形態では、式（ＩＩ）におけるＺは−ＣＨ（ＯＨ）−Ｒ３基であり、式中、Ｒ３は、８〜２２個の炭素原子を有する直鎖または分岐鎖のアルキル基である。本発明のこの好ましい実施形態では、−Ｃ２Ｈ４Ｏ−基と−Ｃ３Ｈ６Ｏ−基との全量を基準としたＣ３Ｈ６Ｏ−基のモル量は、好ましくは２０％、または２０％未満であり、より好ましくは１０％、または１０％未満である。
【００４５】
本発明の特に好ましい実施形態では、本発明の自動食器洗浄機用洗浄剤組成物の構成成分ｂ）の１種または複数種の非イオン界面活性剤は、平均して（＝モル平均で）８個の−Ｃ２Ｈ４Ｏ−基と４個の−Ｃ３Ｈ６Ｏ−基とを含み、Ｒ１は、１２〜１５個の炭素原子を含む直鎖もしくは分岐鎖の飽和アルキル基であるか、または、１つもしくは複数の二重結合を有し、１２〜１５個の炭素原子を含む直鎖もしくは分岐鎖の不飽和アルケニル基である。本発明の自動食器洗浄機用洗浄剤組成物の構成成分ｂ）のこれらの非イオン界面活性剤において、Ｚは好ましくはＨである。
【００４６】
本発明の自動食器洗浄機用洗浄剤組成物の構成成分ｂ）の１種または複数種の非イオン界面活性剤は、特に好ましくは４０〜６０℃の曇点を有する。
【００４７】
本発明の自動食器洗浄機用洗浄剤組成物は、構成成分ｂ）の１種または複数種の非イオン界面活性剤を、いずれの場合においても自動食器洗浄機用洗浄剤組成物の全重量を基準として、好ましくは０．１〜１５ｗｔ％の量で、より好ましくは０．２〜１０ｗｔ％の量で、特に好ましくは０．２〜５ｗｔ％の量で含む。
【００４８】
式（Ｉ）の１種または複数種の化合物における変数「ｎ」および式（ＩＩ）の１種または複数種の化合物における変数「ｘ」は、モル平均を表す。すなわち、本発明の自動食器洗浄機用洗浄剤組成物は、エトキシル化度が異なる式（Ｉ）の幾つかの化合物、およびアルコキシル化度が異なる式（ＩＩ）の幾つかの化合物を含んでもよいことを表す。
【００４９】
本発明の自動食器洗浄機用洗浄剤組成物は、式（Ｉ）の複数の化合物および／または構成成分ｂ）の複数の非イオン界面活性剤を含んでもよい。この場合、本発明の自動食器洗浄機用洗浄剤組成物は、例えば、「Ｒ」基が異なるおよび／もしくはエトキシル化度が異なるおよび／もしくは対イオン「Ｍ」が異なる式（Ｉ）の１を超える化合物、ならびに／または、「Ｒ１」基が異なるおよび／もしくはアルコキシル化度が異なるおよび／もしくは「Ｚ」基が異なる式（ＩＩ）の１を超える化合物を含んでもよい。
【００５０】
好ましくは、本発明の自動食器洗浄機用洗浄剤組成物は、３０℃未満の曇点を有する非イオン界面活性剤を含まない。
【００５１】
本発明の自動食器洗浄機用洗浄剤組成物は、１種または複数種のビルダー物質を、いずれの場合においても自動食器洗浄機用洗浄剤組成物の全重量を基準として、好ましくは５〜９０ｗｔ％の量で、より好ましくは５〜８０ｗｔ％の量で含む。
【００５２】
本発明の自動食器洗浄機用洗浄剤組成物で使用可能なビルダー物質ならびに他の成分は、例えばＵＳ２０１０／０１６０２０４Ａ１およびＥＰ１７５７６７６Ａ１に記載される。
【００５３】
ビルダーのうちに含まれるものには、炭酸塩、炭酸水素塩、有機ビルダー、ケイ酸塩、リン酸塩、ホスホン酸塩、メチルグリシン二酢酸（ＭＧＤＡ）、およびアルカリ金属水酸化物がある。
【００５４】
炭酸塩（１つまたは複数）および／または炭酸水素塩（１つまたは複数）、好適にはアルカリ炭酸塩（１つまたは複数）、特に好ましくは炭酸ナトリウムを使用することが特に好ましい。これらの物質は、本発明の自動食器洗浄機用洗浄剤組成物の全重量を基準として、２〜５０ｗｔ％の量で使用され、好適には１０〜３０％、特に１０〜２５％の量で使用されることが好ましい。
【００５５】
有機ビルダーには、ポリカルボン酸塩／ポリカルボン酸、重合体カルボン酸塩、アスパラギン酸、ポリアセタール、およびデキストリンが含まれる。
【００５６】
使用可能な有機ビルダーにはポリカルボン酸が含まれ、ポリカルボン酸は遊離酸および／またはそのナトリウム塩の形態で使用されてもよく、「ポリカルボン酸」は、１を超える酸官能基を持つカルボン酸として理解される。例には、クエン酸、アジピン酸、コハク酸、グルタル酸、リンゴ酸、酒石酸、マレイン酸、フマル酸、糖酸、アミノカルボン酸、およびニトリロ三酢酸（ＮＴＡ）、ならびにそれらの混合物がある。遊離酸は、典型的にはそのビルダー効果に加えて酸性化構成成分も有するので、本発明の自動食器洗浄機用洗浄剤組成物のｐＨを下げ、緩和する役目も果たす。この文脈で特筆すべきものは、特に、クエン酸、コハク酸、グルタル酸、アジピン酸、グルコン酸、およびそれらの任意の混合物である。
【００５７】
特に好ましい本発明の自動食器洗浄機用洗浄剤組成物は、そのビルダーの１つとしてクエン酸塩を含有する。本発明の自動食器洗浄機用洗浄剤組成物の全重量を基準として、２〜４０ｗｔ％、好ましくは５〜３０ｗｔ％、特に１０〜３０ｗｔ％のクエン酸塩を含有する、本発明の自動食器洗浄機用洗浄剤組成物が好ましい。
【００５８】
重合体カルボン酸塩も、有機ビルダーとして適切である。こうしたものは、例えば、ポリアクリル酸またはポリメタクリル酸のアルカリ金属塩、例えば、５００〜７０，０００ｇ／ｍｏｌの相対分子量を有するものである。
【００５９】
適切な重合体カルボン酸塩は、特にポリアクリル酸塩であり、好ましくは２０００〜２０，０００ｇ／ｍｏｌの分子量を有するものである。溶解性に優れているので、２０００〜１０，０００ｇ／ｍｏｌ、特に好ましくは３０００〜５０００ｇ／ｍｏｌの分子量を有する短鎖ポリアクリル酸塩もまた好ましい場合がある。
【００６０】
同様に適切であるのは共重合体カルボン酸塩であり、特に、アクリル酸とメタクリル酸との、およびアクリル酸またはメタクリル酸とマレイン酸とのものである。５０〜９０ｗｔ％のアクリル酸と１０〜５０ｗｔ％のマレイン酸とを含有する、アクリル酸とマレイン酸の共重合体が特に適切であることが判明した。遊離酸に基づくその相対分子量は、好ましくは２０００〜７０，０００ｇ／ｍｏｌ、より好ましくは２０，０００〜５０，０００ｇ／ｍｏｌ、特に３０，０００〜４０，０００ｇ／ｍｏｌである。
【００６１】
本発明の自動食器洗浄機用洗浄剤組成物が１種または複数種の（共）重合体カルボン酸塩を含む場合、本発明の自動食器洗浄機用洗浄剤組成物におけるこれらの（共）重合体カルボン酸塩の量は、本発明の自動食器洗浄機用洗浄剤組成物の全重量を基準として、好ましくは０．５〜２０ｗｔ％であり、特に３〜１０ｗｔ％である。
【００６２】
本発明の自動食器洗浄機用洗浄剤組成物は、好ましくは、ビルダーとして一般式ＮａＭＳｉｘＯ２ｘ＋１・ｙＨ２Ｏ（式中、Ｍはナトリウムまたは水素であり、ｘは、１．９〜２２の数であり、好適には１．９〜４であり、特に好ましいｘの値は２、３、もしくは４であり、ｙは、０〜３３の数であり、好適には０〜２０である）の結晶性シート状ケイ酸ナトリウムを含有してもよい。
【００６３】
同様に使用可能なものは、１：２〜１：３．３、好ましくは１：２〜１：２．８、特に１：２〜１：２．６のＮａ２Ｏ：ＳｉＯ２比を有する非結晶性ケイ酸ナトリウムであり、このような非結晶性ケイ酸ナトリウムは、好適には遅延溶解し、二次的な洗浄性を示す。
【００６４】
本発明の自動食器洗浄機用洗浄剤組成物が１種または複数種のケイ酸塩を含む場合、本発明の組成物におけるこれらのケイ酸塩の量は、本発明の自動食器洗浄機用洗浄剤組成物の全重量を基準として、好ましくは５〜３０ｗｔ％であり、より好ましくは１０〜２５ｗｔ％である。
【００６５】
リン酸塩は、清浄性能に関して有効なビルダーであることが判明している。多数の市販のリン酸塩のうち、洗浄剤および清浄剤業界において、アルカリ金属リン酸塩、特に三リン酸五ナトリウムまたは三リン酸五カリウム（トリポリリン酸ナトリウムまたはトリポリリン酸カリウム）が最も重要である。
【００６６】
「アルカリ金属リン酸塩」は、様々なリン酸のアルカリ金属（特にナトリウムおよびカリウム）塩の総称であり、この文脈において、分子量のより大きい代表的リン酸に加えて、メタリン酸（ＨＰＯ３）ｍおよびオルトリン酸Ｈ３ＰＯ４は、区別され得る。リン酸塩は複数の利点を合わせ持つ。すなわち、それらは、アルカリ担体として働き、機械部品上への石灰の堆積を防止し、清浄性能に寄与する。
【００６７】
技術的にとりわけ大切なリン酸塩は、三リン酸五ナトリウムＮａ５Ｐ３Ｏ１０（トリポリリン酸ナトリウム）、および相当するカリウム塩である三リン酸五カリウムＫ５Ｐ３Ｏ１０（トリポリリン酸カリウム）である。さらに好ましいリン酸塩は、トリポリリン酸ナトリウムカリウムである。
【００６８】
リン酸塩が本発明の自動食器洗浄機用洗浄剤組成物に使用される場合、好ましい組成物は、リン酸塩（１つまたは複数）、好ましくはアルカリ金属リン酸塩（１つまたは複数）、特に好ましくは三リン酸五ナトリウムまたは三リン酸五カリウム（トリポリリン酸ナトリウムまたはトリポリリン酸カリウム）を、いずれの場合においても本発明の自動食器洗浄機用洗浄剤組成物の全重量を基準として、２〜５０ｗｔ％、好ましくは２〜３０ｗｔ％、より好ましくは３〜２５ｗｔ％、特に好ましくは３〜１５ｗｔ％の量で含有する。
【００６９】
さらなるビルダー（１つまたは複数）として、本発明の自動食器洗浄機用洗浄剤組成物は、ホスホン酸塩（１つまたは複数）を含有することができる。ホスホン酸塩の重量比は、本発明の自動食器洗浄機用洗浄剤組成物の全重量を基準として、好ましくは０．５〜２０ｗｔ％、より好ましくは１．０〜１０ｗｔ％である。
【００７０】
錯化ホスホン酸塩には、１−ヒドロキシエタン−１，１−ジホスホン酸（ＨＥＤＰ）またはジエチレントリアミンペンタ（メチレンホスホン酸）（ＤＴＰＭＰ）などの幾つもの異なる化合物が含まれる。ヒドロキシアルカン−およびアミノアルカンホスホン酸塩が特に好ましい。ヒドロキシアルカンホスホン酸塩のうち、１−ヒドロキシエタン−１，１−ジホスホネート（ＨＥＤＰ）が、好ましくはコビルダーとして、特に重要である。それは、好ましくはナトリウム塩として使用され、二ナトリウム塩は中性的に反応し、四ナトリウム塩はアルカリ式（ｐＨ９）に反応する。適切なアミノアルカンホスホン酸塩には、エチレンジアミンテトラメチレンホスホネート（ＥＤＴＭＰ）、ジエチレントリアミンペンタメチレンホスホネート（ＤＴＰＭＰ）、およびそれらのより高級な同族体が含まれる。これらは、好ましくは中性的に反応するナトリウム塩の形態で（例えば、ＥＤＴＭＰの六ナトリウム塩として、またはＤＴＰＭＰの七ナトリウム塩および八ナトリウム塩として）使用される。ホスホン酸塩の部類のうち、ＨＥＤＰが好ましい。
【００７１】
ホスホン酸塩の代替物として、メチルグリシン二酢酸（ＭＧＤＡ）も、本発明の自動食器洗浄機用洗浄剤組成物において錯化剤として使用することができる。
【００７２】
本発明の自動食器洗浄機用洗浄剤組成物がメチルグリシン二酢酸（ＭＧＤＡ）を含む場合、本発明の組成物におけるこの化合物の量は、本発明の自動食器洗浄機用洗浄剤組成物の全重量を基準として、好ましくは０．５〜２５ｗｔ％、より好ましくは５〜２０ｗｔ％である。
【００７３】
本発明の自動洗剤食器洗浄組成物は、さらなるビルダーとしてアルカリ金属水酸化物を含有することができる。こうしたアルカリ担体は、好ましくは少量でのみ使用され、本発明の自動洗剤食器洗浄組成物の全重量を基準として、好ましくは１０ｗｔ％以下、より好ましくは６ｗｔ％以下、好適には５ｗｔ％以下、特に好ましくは０．１〜５ｗｔ％、特に０．５〜５ｗｔ％の量で使用される。
【００７４】
本発明のさらに好ましい実施形態では、本発明の自動食器洗浄機用洗浄剤組成物は、炭酸塩、クエン酸塩およびリン酸塩からなる群から選択される、１種または複数種のビルダー物質を含む。本発明の特に好ましい実施形態では、本発明の自動食器洗浄機用洗浄剤組成物は、炭酸塩およびクエン酸塩からなる群から選択される、１種または複数種のビルダー物質を含む。
【００７５】
本発明の自動洗剤食器洗浄組成物は、上述のビルダーを個々に含有しても、２つ、３つ、４つまたはそれを超えるビルダーの混合物として含有しても、いずれであってもよい。
【００７６】
本発明の自動食器洗浄機用洗浄剤組成物は、好ましくは漂白系を含む。本発明の自動食器洗浄機用洗浄剤組成物が漂白系を含む場合、それらは漂白系を、いずれの場合においても本発明の自動食器洗浄機用洗浄剤組成物の全重量を基準として、好ましくは０．１〜４０ｗｔ％の量で、より好ましくは０．５〜３０ｗｔ％の量で、特に好ましくは３〜２５ｗｔ％の量で含む。
【００７７】
本発明の自動食器洗浄機用洗浄剤組成物の漂白系は、漂白剤、漂白活性化剤および漂白触媒からなる群から選択される１種または複数種の物質を含んでもよい。
【００７８】
さらなる成分として、本発明の自動食器洗浄機用洗浄剤組成物は、酸素漂白剤を含有することができる。漂白剤として機能し、水中にＨ２Ｏ２を生じる化合物のうち、過炭酸ナトリウム、過ホウ酸ナトリウム四水和物、および過ホウ酸ナトリウム一水和物が特に重要である。使用可能な他の漂白剤には、ペルオキシピロリン酸塩、クエン酸塩過水和物、およびＨ２Ｏ２を生じる過酸塩または過酸、例えば、過安息香酸塩、ペルオキソフタル酸塩、二過アゼライン酸、フタロイミノ過酸または二過ドデカン二酸などが含まれる。有機漂白剤も使用することができる。典型的な有機漂白剤は、過酸化ジベンゾイルなどの過酸化ジアシルである。さらなる典型的な有機漂白剤は、アルキルペルオキシ酸およびアリールペルオキシ酸などのペルオキシ酸である。
【００７９】
好ましい本発明の自動食器洗浄機用洗浄剤組成物は、組成物の全重量を基準として、１．０〜２０ｗｔ％の、好ましくは４．０〜１８ｗｔ％の、より好ましくは８〜１５ｗｔ％の酸素漂白剤、好ましくは過炭酸ナトリウムを含有する。
【００８０】
約６０℃以下の温度で清浄するときに漂白効果の向上を実現するために、本発明の自動食器洗浄機用洗浄剤組成物は、追加的に漂白活性化剤を含有することができる。過加水分解条件下で、好適には１〜１０個の炭素原子、特に２〜４個の炭素原子を有する脂肪族ペルオキシカルボン酸および／または任意選択により置換された過安息香酸を生じる化合物を、漂白活性化剤として使用することができる。前記の数の炭素原子を有するＯ−アシル基および／もしくはＮ−アシル基、ならびに／または任意選択により置換されたベンゾイル基を持つ物質が適切である。ポリアシル化アルキレンジアミンが好ましく、テトラアセチルエチレンジアミン（ＴＡＥＤ）が特に適切であることが判明した。
【００８１】
漂白活性化剤、特にＴＡＥＤは、いずれの場合においても漂白活性化剤を含有する本発明の自動食器洗浄機用洗浄剤組成物の全重量を基準として、好ましくは１０ｗｔ％まで、特に０．１〜８ｗｔ％、特に２〜８ｗｔ％、特に好ましくは２〜６ｗｔ％の量で使用される。
【００８２】
従来の漂白活性化剤に加えてまたは代えて、いわゆる漂白触媒も使用することができる。これらの物質は、漂白を強化する遷移金属塩または遷移金属錯体、例えば、Ｍｎ、Ｆｅ、Ｃｏ、ＲｕまたはＭｏのサレン錯体またはカルボニル錯体などである。窒素含有三脚型配位子を有するＭｎ、Ｆｅ、Ｃｏ、Ｒｕ、Ｍｏ、Ｔｉ、ＶおよびＣｕの錯体、ならびにＣｏ、Ｆｅ、ＣｕおよびＲｕのアミン錯体も、漂白触媒として使用可能である。
【００８３】
供与性官能基Ｎ、ＮＲ、ＰＲ、Ｏおよび／またはＳを有する１つまたは複数の大環状配位子（１つまたは複数）を好ましくは含有する、酸化状態ＩＩ、ＩＩＩ、ＩＶまたはＶのマンガン錯体を使用することが特に好ましい。窒素の供与性官能基を有する配位子が好ましい。１，４，７−トリメチル−１，４，７−トリアザシクロノナン（Ｍｅ−ＴＡＣＮ）、１，４，７−トリアザシクロノナン（ＴＡＣＮ）、１，５，９−トリメチル−１，５，９−トリアザシクロドデカン（Ｍｅ−ＴＡＣＤ）、２−メチル−１，４，７−トリメチル−１，４，７−トリアザシクロノナン（Ｍｅ／Ｍｅ−ＴＡＣＮ）、および／または２−メチル−１，４，７−トリアザシクロノナン（Ｍｅ／ＴＡＣＮ）を、高分子配位子として含有する漂白触媒（１つまたは複数）を使用することが特に好ましい。適切なマンガン錯体には、［ＭｎＩＩＩ２（μ−Ｏ）１（μ−ＯＡｃ）２（ＴＡＣＮ）２］（ＣＩＯ４）２、［ＭｎＩＩＩＭｎＩＶ（μ−Ｏ）２（μ−ＯＡｃ）１（ＴＡＣＮ）２］（ＢＰｈ４）２、［ＭｎＩＶ４（μ−Ｏ）６（ＴＡＣＮ）４］（ＣＩＯ４）４、［ＭｎＩＩＩ２（μ−Ｏ）１（μ−ＯＡｃ）２（Ｍｅ−ＴＡＣＮ）２］（ＣＩＯ４）２、［ＭｎＩＩＩＭｎＩＶ（μ−Ｏ）１（μ−ＯＡｃ）２（Ｍｅ−ＴＡＣＮ）２］（ＣＩＯ４）３、［ＭｎＩＶ２（μ−Ｏ）３（Ｍｅ−ＴＡＣＮ）２］（ＰＦ６）２、および［ＭｎＩＶ２（μ−Ｏ）３（Ｍｅ／Ｍｅ−ＴＡＣＮ）２］（ＰＦ６）２（ＯＡｃ＝ＯＣ（Ｏ）ＣＨ３）が含まれる。
【００８４】
本発明のさらに好ましい実施形態では、本発明の自動食器洗浄機用洗浄剤組成物は、漂白を強化する遷移金属塩および遷移金属錯体から選択される、好ましくは１，４，７−トリメチル−１，４，７−トリアザシクロノナン（Ｍｅ−ＴＡＣＮ）または１，２，４，７−テトラメチル−１，４，７−トリアザシクロノナン（Ｍｅ４−ＴＡＣＮ）を有するマンガン錯体から選択される漂白触媒を含有し、その理由は、これらの漂白触媒を用いると清浄結果を著しく向上させることができるからである。
【００８５】
好ましくは、漂白系は、１種または複数種の漂白剤と、漂白活性化剤および漂白触媒からなる群から選択される１種または複数種の物質とを含む。特に好ましくは、漂白系は、１種または複数種の漂白剤と、１種または複数種の漂白活性化剤と、１種または複数種の漂白触媒とを含む。
【００８６】
本発明の組成物は、自動食器洗浄機用洗浄剤組成物に汎用される他の成分を含んでもよい。本発明のさらに好ましい実施形態では、本発明の自動食器洗浄機用洗浄剤組成物は、酵素、ガラス腐食防止剤、水、有機溶媒、増粘剤、さらなる界面活性剤、泡抑制剤、カラースペックル（ｃｏｌｏｒ  ｓｐｅｃｋｌｅ）、銀保護剤（ｓｉｌｖｅｒ  ｃａｒｅ）、曇り防止剤（ａｎｔｉ−ｔａｒｎｉｓｈ）および／または腐食防止剤、染料、フィラー、殺菌剤、ヒドロトロープ、抗酸化剤、酵素安定化剤、香料、可溶化剤、担体、加工助剤、顔料、ならびにｐＨ調整剤からなる群から選択される１種または複数種の化合物を含む。
【００８７】
清浄性能を増大させるために、本発明の自動食器洗浄機用洗浄剤組成物は、酵素も含有することができる。こうしたものには、プロテアーゼ、アミラーゼ、リパーゼ、ヘミセルラーゼ、セルラーゼ、ペルヒドロラーゼ、またはオキシドレダクターゼ、ならびに好ましくはそれらの混合物が含まれる。これらの酵素は、原則的に天然由来のものである。天然分子をベースとする改良された変種を自動食器洗浄機用洗浄剤組成物に使用可能であり、同様に好ましく使用される。本発明の自動食器洗浄機用洗浄剤組成物は、活性タンパク質に基づいて、さらに本発明の自動食器洗浄機用洗浄剤組成物の全重量を基準として、好ましくは１×１０−６〜５ｗｔ％の量で酵素を含有する。タンパク質濃度は、公知の方法、例えばＢＣＡ法またはビウレット法によって決定することができる。
【００８８】
タンパク質および／または酵素は、とりわけ貯蔵の間に、不活性化、変性、または分解（例えば、物理的影響、酸化、またはタンパク質切断に起因する）などの損傷から保護されてもよい。タンパク質分解の抑制は、タンパク質および／または酵素が微生物的に回収される場合に好ましく、特に、本発明の自動食器洗浄機用洗浄剤組成物がプロテアーゼも含有する場合はそうである。本発明の自動食器洗浄機用洗浄剤組成物は、この目的のために安定剤を含有することができ、かかる作用剤を本発明の自動食器洗浄機用洗浄剤組成物に供与することにより、本発明の好ましい実施形態が示される。
【００８９】
組成物の全重量を基準として、０．１〜１２ｗｔ％、好適には０．２〜１０ｗｔ％、特に０．５〜８ｗｔ％の酵素調製物を含有する、本発明のこうした自動食器洗浄機用洗浄剤組成物が、特に好ましい。
【００９０】
ガラス腐食防止剤は、本発明の自動食器洗浄機用洗浄剤組成物のさらに好ましい成分である。ガラス腐食防止剤は、自動的に清浄されたガラス製品のガラス表面上の曇り、汚れおよび擦り傷、ならびに虹彩の発生を防止する。好ましいガラス腐食防止剤には、マグネシウムおよび亜鉛の塩ならびにマグネシウムおよび亜鉛の錯体が含まれる。
【００９１】
本発明の自動食器洗浄機用洗浄剤組成物は、固体形態に調整されても液体形態に調整されてもよく、それだけでなく、固体の提供形態と液体の提供形態との組合せであってもよい。
【００９２】
本発明の自動食器洗浄機用洗浄剤組成物のアルカリ性が高いと、こうした組成物の清浄性能に寄与するだけでなく、こうした組成物の腐食および厄介な作用にも寄与するので、本発明の好ましい自動食器洗浄機用洗浄剤組成物は、液体または固体の本発明の自動食器洗浄機用洗浄剤組成物の１０ｗｔ％水溶液として測定して、２０℃で８〜１４の、好ましくは９〜１１．５の、より好ましくは９．５〜１１．５のｐＨを有する。
【００９３】
本発明の自動食器洗浄機用洗浄剤組成物の清浄性能を、有機溶媒を添加することによって向上させることができる。したがって、本発明の好ましい実施形態は、少なくとも１つの有機溶媒を含有する自動食器洗浄機用洗浄剤組成物である。好ましい本発明の液体自動食器洗浄機用洗浄剤組成物は、組成物の全重量を基準として、０．２〜１５ｗｔ％、好適には０．５〜１２ｗｔ％、特に好ましくは１．０〜１０ｗｔ％の量で有機溶媒を含有する。
【００９４】
こうした有機溶媒は、例えば、モノアルコール、ジオール、トリオールもしくはポリオール、エーテル、エステル、および／またはアミドから誘導される。この文脈において、水溶性の有機溶媒が特に好ましく、本出願の目的のための「水溶性」溶媒は、室温で水と完全に混和性である（すなわち溶解度ギャップのない）溶媒である。
【００９５】
有機アミンおよび／またはアルカノールアミンに由来する有機溶媒は、清浄性能において有効であり、特に漂白可能なしみ、特に茶渋に対する清浄性能の点で有効である。
【００９６】
本発明の液体自動食器洗浄機用洗浄剤組成物に所望の粘度を実現するために、それに増粘剤を添加することができる。自動食器洗浄機用洗浄剤組成物に汎用される増粘剤を、本発明の組成物にも使用することができる。
【００９７】
本発明のそれぞれの液体自動食器洗浄機用洗浄剤組成物が、本発明の自動食器洗浄機用洗浄剤組成物の全重量を基準として、好ましくは０．１〜８ｗｔ％、より好ましくは０．２〜６ｗｔ％、特に好ましくは０．４〜４ｗｔ％の量で増粘剤を含有すれば、有利である。
【００９８】
界面活性剤は、両性イオン界面活性剤、陰イオン界面活性剤またはそれらの混合物から選択されてもよい。
【００９９】
両性イオン界面活性剤は、Ｃ８〜Ｃ１８（好ましくはＣ１２〜Ｃ１８）のアミンオキシド、ならびにスルホベタインおよびヒドロキシベタイン、例えば、アルキル基がＣ９〜Ｃ１８、好ましくはＣ１０〜Ｃ１４であってもよい、Ｎ−アルキル−Ｎ，Ｎ−ジメチルアミノ−１−プロパンスルホネートなどからなる群から選択されることが好ましい。
【０１００】
陰イオン界面活性剤は、エトキシル度が３より大きく（好ましくは４〜１０、より好ましくは６〜８）、Ｃ８〜Ｃ１６、好ましくはＣ１１〜Ｃ１５の範囲内である鎖長を有する、アルキルエトキシ硫酸塩から選択されることが好ましい。加えて、分岐が中間で生じ、全鎖長の平均が１０〜１８、好ましくは１２〜１６であり、側枝が炭素２個〜４個の長さであるとき、分岐アルキルカルボン酸塩が本発明の目的に有用であることが見出された。例には、２−ブチルオクタン酸がある。陰イオン界面活性剤は、典型的には、カルシウムの存在下で良好な溶解性を有する種類のものであり、かかる陰イオン界面活性剤は、スルホベタイン、アルキル（ポリエトキシ）硫酸塩（ＡＥＳ）、ならびに短鎖Ｃ６〜Ｃ１０アルキル硫酸塩およびスルホン酸塩によってさらに例示される。直鎖脂肪酸は、カルシウムに対して感受性であるために有効でないことが示されている。
【０１０１】
本発明のさらに好ましい実施形態では、本発明の自動食器洗浄機用洗浄剤組成物は、式（Ｉ）の１種または複数種の化合物および構成成分ｂ）の１種または複数種の非イオン界面活性剤に加えて、他の界面活性剤を含まない。
【０１０２】
泡抑制剤、カラースペックル、銀保護剤、曇り防止剤および／または腐食防止剤、染料、フィラー、殺菌剤、ヒドロトロープ、抗酸化剤、酵素安定化剤、香料、可溶化剤、担体、加工助剤、顔料、ならびにｐＨ調整剤は、自動食器洗浄機用洗浄剤組成物に汎用されるそれぞれの物質から選択することができる。
【０１０３】
本発明のさらに好ましい実施形態では、本発明の自動食器洗浄機用洗浄剤組成物は、リン酸塩を含まない。すなわち、リン酸塩不含である。
【０１０４】
本発明のさらに好ましい実施形態では、本発明の自動食器洗浄機用洗浄剤組成物は、２０℃で液体である。好ましくは水および／または有機溶媒をベースとする液体の提供形態は、ゲルのような増粘された形態で存在することができる。好ましくは、本発明の液体組成物は、いずれの場合においても本発明の自動食器洗浄用液体洗剤組成物の全重量を基準として、６０ｗｔ％までの水、より好ましくは１０〜６０ｗｔ％の水、さらに好ましくは２５〜６０ｗｔ％の水を含む。
【０１０５】
本発明のさらに好ましい実施形態では、本発明の自動食器洗浄機用洗浄剤組成物は２０℃で固体である。粉末、顆粒、押出し物、または圧密物（ｃｏｍｐａｃｔａｔｅ）、特にタブレットが、固体の提供形態としてとりわけ適切である。好ましくは、本発明の固体組成物は、いずれの場合においても本発明の自動食器洗浄用固体洗剤組成物の全重量を基準として、２０ｗｔ％未満の水、より好ましくは０．１〜２０ｗｔ％の水、さらに好ましくは０．５〜５ｗｔ％の水を含む。本発明の別の好ましい実施形態では、本発明の自動食器洗浄機用洗浄剤組成物は、無水である。
【０１０６】
本発明の自動食器洗浄機用洗浄剤組成物は、自動食器洗浄機中で食器を洗浄するのに有利に適しており、それによって、汚れた食器が、自動食器洗浄機中で、本発明の自動食器洗浄機用洗浄剤組成物を含む水性アルカリ組成物で処理される。
【０１０７】
したがって、本発明はまた、自動食器洗浄機中で食器を洗浄する方法であって、汚れた食器を、自動食器洗浄機中で、本発明の自動食器洗浄機用洗浄剤組成物を含む水性アルカリ組成物で処理することを含む方法を提供する。
【０１０８】
食器を洗浄する本発明の方法では、水性アルカリ組成物のｐＨ値は、好ましくは８以上、より好ましくは９以上である。
【０１０９】
以下の例は、本発明を詳細に例示することが意図されているが、本発明を制限するものではない。特に明記しない限り、パーセント値はすべて、重量パーセント（重量％またはｗｔ％）である。
【実施例】
【０１１０】
食器洗浄用洗剤性能試験（斑点形成）：
食器洗浄機：Ｍｉｅｌｅ  Ｇ  １２２２  ＳＣ  ＧＳＬ
斑点形成を試験する品：新品を、試験する清浄剤の組合せを使用して５回、次に２０ｇのクエン酸を使用して１回、最後に純水を使用して１回、Ｂｏｓｃｈ  ｌｏｇｉｘｘ食器洗浄機のＮｏｒｍａｌ  ｅｃｏ  ｐｒｏｇｒａｍで、脱塩水を用いてすべて前処理する。
【０１１１】
上段ラック内：左側および右側にＨｉｂａｌ  Ｓｃｈｏｔｔ「Ｐａｒｉｓ」８個
下段ラック内：黒色の磁気性皿３枚
黒色のガラス製角皿３枚
青色のメラミン製皿８枚
ハンドルを中央にしたカトラリー用引出し内またはハンドルを下げたカトラリー用かご内：ＷＭＦ製「一体型」ナイフ８本
食器洗浄機プログラム：２番「短縮」（＝Ｒ  ０）：
前洗いあり
５５℃で本洗い
６５℃ですすぎサイクル
水の量：前洗い、本洗い、中間すすぎおよび最終すすぎ用の取水４回のそれぞれにつき４．６〜４．８リットル
水の硬度：１４°ｄＨ（水道水）
硬水軟化：なし
清浄剤投入量：２０ｇの粉末清浄剤またはタブレット１個をそれぞれ投入容器（ｄｏｓｉｎｇ  ｃｈａｍｂｅｒ）に投入する
汚れ：冷凍した改質Ｓｔｉｗａ汚れ５０ｇを有する逆さまにしたボトルを、投入容器が開いた直後に添加する（すなわち、プログラムの開始から１４分後）
乾燥仕上剤：なし
清浄サイクル数：３
冷却時間：扉を閉めて１０分間、次いで扉を開け、ラックを完全に引き出す
評価：３０分後、試験品が乾燥し、冷めたとき
格付け：８（斑点または筋なし）〜０（極めて多くの大きな斑点および／または筋）
被膜形成は、それが重大で斑点が見られないときのみ述べられる
試験後：試験プログラムにおいて、２０ｇのクエン酸で１回、純水で１回機械を清浄する。
【０１１２】
汚れおよび汚れ組成物の調製：
５ｋｇの汚れを調製するための配合表：
Ａ  マーガリン  ５００ｇ
Ｂ  グレービー粉末（Ｍａｇｇｉ）  １２５ｇ
ジャガイモデンプン  ２５ｇ
安息香酸  ５ｇ
Ｃ  卵黄  Ｍサイズ  １５ｇ
マスタード（Ｓｔｒｅｕｂｅｒ）  １２５ｇ
ケチャップ（Ｈｅｉｎｚ）  １２５ｇ
脂肪分１．５％の牛乳  ２５０ｇ
Ｄ  水道水  ３．５０リットル
【０１１３】
Ｉ  １リットルのビーカー中で、Ａを６００Ｗの電子レンジで５分間溶かす。
ＩＩ  Ｂの構成成分を、ハンドミキサーでよく混合することによって、Ｉに１つずつ添加する。
ＩＩＩ  Ｃの構成成分を、１０リットルの円筒形容器に１つずつ添加し、ミキサーでよくブレンドする。
ＩＶ  ＩＩが微温であるときに、完全に混合することによってＩＩＩに添加する。
Ｖ  次いで、水を約０．５〜１リットルずつ数段階でＩＶに入れてかき混ぜ、混合物を均質化する。
ＶＩ  汚れを５０ｇずつ計量して１００ｍｌの角ビンに入れる。合間に、それをミキサーでよく混合する。
【０１１４】
結果の評価−目視による等級付け：
８：斑点および縞がない
７：わずかな極めて細い縞および／またはわずかな極めて小さい斑点
６：わずかな細い縞および／または幾つかの小さい斑点
５：細いものから中程度の縞ならびに／またはわずかな中程度の大きさの斑点および／もしくは多くの小さい斑点
４：わずかな中程度の縞および／または幾つかの中程度の大きさの斑点
３：中程度の縞ならびに／またはわずかな大きい斑点および／もしくは多くの中程度の大きさの斑点
２：わずかな広い縞ならびに／または幾つかの大きい斑点および／もしくは極めて多くの中程度の大きさの斑点
１：広い縞および／または多くの大きい斑点
０：極めて大きい縞および／または極めて多くの大きい斑点
各試験品に対する単一の等級付けが合計され、その合計が異なる洗剤組成物を比較するために使用される。
試験される自動食器洗浄機用洗浄剤組成物の組成
【０１１５】
【表１】
2015500363.tif 000006
【０１１６】
【表２】
2015500363.tif 000007
【０１１７】
【表３】
2015500363.tif 000008
【０１１８】
【表４】
2015500363.tif 000009
【０１１９】
【表５】
2015500363.tif 000010
例１ならびに比較例１、２および３の組成物を使用して得られた斑点形成の合計値を、次の表Ａに示す。
【０１２０】
【表６】
2015500363.tif 000011
上の表Ａの結果から、例１の本発明の組成物を使用すると、比較例１、２および３による組成物を使用するのと比較して、斑点形成の合計結果が良い値となることがわかる。
【０１２１】
さらに、上の例において、例１の本発明の組成物は全体的に極めて良好な清浄性能を示す。
【手続補正書】
【提出日】平成26年1月21日(2014.1.21)
【手続補正１】
【補正対象書類名】特許請求の範囲
【補正対象項目名】全文
【補正方法】変更
【補正の内容】
【特許請求の範囲】
【請求項１】
ａ）式（Ｉ）の１種または複数種の化合物
ＲＯ−（ＣＨ２ＣＨ２Ｏ−）ｎ−ＣＨ２−ＣＯＯＭ    （Ｉ）
（式中、
Ｒは、８〜３０個の炭素原子を含む直鎖もしくは分岐鎖の飽和アルキル基であるか、または、１つもしくは複数の二重結合を有し、８〜３０個の炭素原子を含む直鎖もしくは分岐鎖の不飽和アルケニル基であり、
ｎは１〜２０の数であり、そして
Ｍは対イオンである）、
ｂ）３０℃以上の曇点を有する、好ましくは４０℃以上の曇点を有する、１種または複数種の非イオン界面活性剤、
ｃ）１種または複数種のビルダー物質、および
ｄ）１種または複数種の酸素漂白剤と、漂白活性化剤および漂白触媒からなる群から選択される１種または複数種の物質とを含む漂白系、
を含む、自動食器洗浄機用洗浄剤組成物。
【請求項２】
式（Ｉ）の１種または複数種の化合物における対イオンＭが、Ｈ＋、Ｎａ＋、Ｋ＋、Ｍｇ２＋／２、Ｃａ２＋／２、ＮＨ４＋、モノエタノールアンモニウム、ジエタノールアンモニウムおよびトリエタノールアンモニウムからなる群から選択されることを特徴とする、請求項１に記載の自動食器洗浄機用洗浄剤組成物。
【請求項３】
式（Ｉ）の１種または複数種の化合物における対イオンＭが、Ｈ＋、Ｎａ＋およびＫ＋からなる群から選択されることを特徴とする、請求項２に記載の自動食器洗浄機用洗浄剤組成物。
【請求項４】
式（Ｉ）の１種または複数種の化合物におけるＲが、１２〜１８個の炭素原子を含む直鎖もしくは分岐鎖の飽和アルキル基であるか、または、１つもしくは複数の二重結合を有し、１２〜１８個の炭素原子を含む直鎖もしくは分岐鎖の不飽和アルケニル基であることを特徴とする、請求項１〜３のいずれか一つに記載の自動食器洗浄機用洗浄剤組成物。
【請求項５】
式（Ｉ）の１種または複数種の化合物におけるＲが、１６〜１８個の炭素原子を含む直鎖もしくは分岐鎖の飽和アルキル基であるか、または、１つもしくは複数の二重結合を有し、１６〜１８個の炭素原子を含む直鎖もしくは分岐鎖の不飽和アルケニル基であることを特徴とする、請求項４に記載の自動食器洗浄機用洗浄剤組成物。
【請求項６】
式（Ｉ）の１種または複数種の化合物において、Ｒ基の５０ｗｔ％以上が、１つまたは複数の二重結合を有する直鎖または分岐鎖の不飽和アルケニル基であることを特徴とする、請求項１〜５のいずれか一つに記載の自動食器洗浄機用洗浄剤組成物。
【請求項７】
式（Ｉ）の１種または複数種の化合物におけるＲが直鎖基であることを特徴とする、請求項１〜６のいずれか一つに記載の自動食器洗浄機用洗浄剤組成物。
【請求項８】
式（Ｉ）の化合物におけるＲがオレイル基であることを特徴とする、請求項１〜７のいずれか一つに記載の自動食器洗浄機用洗浄剤組成物。
【請求項９】
式（Ｉ）の１種または複数種の化合物におけるｎが１〜３の数であることを特徴とする、請求項１〜８のいずれか一つに記載の自動食器洗浄機用洗浄剤組成物。
【請求項１０】
式（Ｉ）の１種または複数種の化合物におけるｎが２であることを特徴とする、請求項９に記載の自動食器洗浄機用洗浄剤組成物。
【請求項１１】
式（Ｉ）の１種または複数種の化合物を、いずれの場合においても自動食器洗浄機用洗浄剤組成物の全重量を基準として、０．１〜１５ｗｔ％の量で、好ましくは０．２〜１０ｗｔ％の量で、より好ましくは０．２〜５ｗｔ％の量で含むことを特徴とする、請求項１〜１０のいずれか一つに記載の自動食器洗浄機用洗浄剤組成物。
【請求項１２】
構成成分ｂ）の１種または複数種の非イオン界面活性剤が、式（ＩＩ）
【化１】
2015500363.tif 000015
（式中、
Ｒ１は、８〜３０個の炭素原子を含む直鎖もしくは分岐鎖の飽和アルキル基であるか、または、１つもしくは複数の二重結合を有し、８〜３０個の炭素原子を含む直鎖もしくは分岐鎖の不飽和アルケニル基であり、
Ａは、−Ｃ２Ｈ４−および−Ｃ３Ｈ６−からなる群から選択され、
ｘは、１〜１５０の数であり、
Ｚは、Ｈ、１〜３０個の炭素原子を有する直鎖もしくは分岐鎖のアルキル基、または−ＣＨ（ＯＨ）−Ｒ３基であり、そして
Ｒ３は、１〜３０個の炭素原子を有する直鎖もしくは分岐鎖のアルキル基であり、
ここで、−（−ＡＯ−）ｘ−基は、１つまたは複数の−Ｃ２Ｈ４Ｏ−基を含み、そして１つまたは複数の−Ｃ３Ｈ６Ｏ−基を追加的に含んでもよく、そして−（−ＡＯ−）ｘ−基が−Ｃ２Ｈ４Ｏ−基と−Ｃ３Ｈ６Ｏ−基とを同時に含む場合、−Ｃ２Ｈ４Ｏ−基および−Ｃ３Ｈ６Ｏ−基は−（−ＡＯ−）ｘ−基内にいかなる様式で分布していてもよく、好ましくは統計的、勾配状またはブロック状の様式で、特に好ましくはブロック状の様式で分布していてもよく、そして−（−ＡＯ−）ｘ−基中の−Ｃ２Ｈ４Ｏ−基のモル量は、好ましくは−Ｃ３Ｈ６Ｏ−基のモル量より多い）
の化合物から選択されることを特徴とする、請求項１〜１１のいずれか一つに記載の自動食器洗浄機用洗浄剤組成物。
【請求項１３】
構成成分ｂ）の１種または複数種の非イオン界面活性剤が、平均して８個の−Ｃ２Ｈ４Ｏ−基と４個の−Ｃ３Ｈ６Ｏ−基とを含み、Ｒ１が、１２〜１５個の炭素原子を含む直鎖もしくは分岐鎖の飽和アルキル基であるか、または、１つもしくは複数の二重結合を有し、１２〜１５個の炭素原子を含む直鎖もしくは分岐鎖の不飽和アルケニル基であり、ＺがＨであることを特徴とする、請求項１２に記載の自動食器洗浄機用洗浄剤組成物。
【請求項１４】
構成成分ｂ）の１種または複数種の非イオン界面活性剤を、いずれの場合においても自動食器洗浄機用洗浄剤組成物の全重量を基準として、０．１〜１５ｗｔ％の量で、好ましくは０．２〜１０ｗｔ％の量で、より好ましくは０．２〜５ｗｔ％の量で含むことを特徴とする、請求項１〜１３のいずれか一つに記載の自動食器洗浄機用洗浄剤組成物。
【請求項１５】
３０℃未満の曇点を有する非イオン界面活性剤を含まないことを特徴とする、請求項１〜１４のいずれか一つに記載の自動食器洗浄機用洗浄剤組成物。
【請求項１６】
１種または複数種のビルダー物質を、いずれの場合においても自動食器洗浄機用洗浄剤組成物の全重量を基準として、５〜９０ｗｔ％の量で、好ましくは５〜８０ｗｔ％の量で含むことを特徴とする、請求項１〜１５のいずれか一つに記載の自動食器洗浄機用洗浄剤組成物。
【請求項１７】
酸素漂白剤が、過炭酸ナトリウム、過ホウ酸ナトリウム四水和物、過ホウ酸ナトリウム一水和物、ペルオキシピロリン酸塩、クエン酸塩過水和物、およびＨ２Ｏ２を生じる過酸塩または過酸からなる群から選択されることを特徴とする、請求項１〜１６のいずれか一つに記載の自動食器洗浄機用洗浄剤組成物。
【請求項１８】
漂白系を、いずれの場合においても自動食器洗浄機用洗浄剤組成物の全重量を基準として、０．１〜４０ｗｔ％の量で、好ましくは０．５〜３０ｗｔ％の量で、より好ましくは３〜２５ｗｔ％の量で含むことを特徴とする、請求項１に記載の自動食器洗浄機用洗浄剤組成物。
【請求項１９】
酵素、ガラス腐食防止剤、水、有機溶媒、増粘剤、さらなる界面活性剤、泡抑制剤、カラースペックル（ｃｏｌｏｒ  ｓｐｅｃｋｌｅ）、銀保護剤（ｓｉｌｖｅｒ  ｃａｒｅ）、曇り防止剤（ａｎｔｉ−ｔａｒｎｉｓｈ）および／または腐食防止剤、染料、フィラー、殺菌剤、ヒドロトロープ、抗酸化剤、酵素安定化剤、香料、可溶化剤、担体、加工助剤、顔料ならびにｐＨ調整剤からなる群から選択される１種または複数種の化合物を含むことを特徴とする、請求項１〜１８のいずれか一つに記載の自動食器洗浄機用洗浄剤組成物。
【請求項２０】
式（Ｉ）の１種または複数種の化合物および構成成分ｂ）の１種または複数種の非イオン界面活性剤に加えて、他の界面活性剤を含まないことを特徴とする、請求項１〜１９のいずれか一つに記載の自動食器洗浄機用洗浄剤組成物。
【請求項２１】
汚れた食器を、自動食器洗浄機中で、請求項１〜２０のいずれか一つに記載の自動食器洗浄機用洗浄剤組成物を含む水性アルカリ組成物で処理することを含む、自動食器洗浄機中で食器を洗浄する方法。
【請求項２２】
水性アルカリ組成物のｐＨ値が、８以上、好ましくは９以上であることを特徴とする、請求項２１に記載の方法。
【国際調査報告】
2015500363.tif 000016
2015500363.tif 000017
2015500363.tif 000018